(57)【要約】【課題】  検査者の負担を軽減するべく画像に基づく医学的検査を支援する。【解決手段】  設定情報記憶部１２は、複数の判断の実行順序と複数の判断のそれぞれにおける判断結果の選択肢とを関連付けて記憶する。ユーザインタフェース部１１および情報処理部１４は、検査結果を入力する。情報処理部１４は、設定情報記憶部１２に記憶された複数の判断の実行順序に含まれる手順のうち、判断結果が入力されていない手順を設定情報記憶部１２により記憶される情報に基づいて判定する。情報処理部１４は、上記の判定された手順に関するものとして設定情報記憶部１２に記憶される複数の判断のそれぞれにおける判断結果の選択肢のうちから上記の入力された検査結果を導出するために選択され得る選択肢を選出する。情報処理部１４およびユーザインタフェース部１１は、上記の選出された選択肢をユーザに提示する。【選択図】      図１
2011018385.tif 000002
【特許請求の範囲】
【請求項１】
画像に現れた医学的異常に関する複数の判断を所定の実行順序で実行することで検査結果を導出する医学的検査を支援する検査支援装置において、
前記複数の判断の実行順序と前記複数の判断のそれぞれにおける判断結果の選択肢とを関連付けて記憶する記憶手段と、
前記検査結果を入力する結果入力手段と、
前記記憶手段に記憶された前記複数の判断の実行順序に含まれる手順のうち、前記判断結果が入力されていない手順を前記記憶手段により記憶される情報に基づいて判定する判定手段と、
前記判定手段により判定された手順に関するものとして前記記憶手段に記憶される前記複数の判断のそれぞれにおける判断結果の選択肢のうちから前記結果入力手段で入力された前記検査結果を導出するために選択され得る選択肢を選出する選出手段と、
前記選出手段により選出された選択肢をユーザに提示する提示手段とを具備したことを特徴とする検査支援装置。
【請求項２】
画像に現れた医学的異常に関する複数の判断を所定の実行順序で実行することで検査結果を導出する医学的検査を支援する検査支援装置において、
前記複数の判断の実行順序と前記複数の判断のそれぞれにおける判断結果の選択肢とを関連付けて記憶する記憶手段と、
前記検査結果を入力する結果入力手段と、
前記記憶手段に記憶された前記複数の判断の実行順序に含まれる手順のうち、前記判断結果が入力されていない手順を前記記憶手段により記憶される情報に基づいて判定する判定手段と、
前記判定手段により判定された手順に関するものとして前記記憶手段に記憶される前記複数の判断のそれぞれにおける判断結果の選択肢のうちから前記結果入力手段で入力された前記検査結果を導出するために選択され得る選択肢を選出する選出手段と、
前記選出手段により選出された選択肢および入力された前記検査結果をそれぞれ含んだレポートを作成する手段とを具備したことを特徴とする検査支援装置。
【請求項３】
画像に現れた医学的異常に関する複数の判断を所定の実行順序で実行することで検査結果を導出する医学的検査を支援するための処理を、前記複数の判断の実行順序と前記複数の判断のそれぞれにおける判断結果の選択肢とを関連付けて記憶する記憶手段にアクセス可能なコンピュータに行わせる検査支援プログラムにおいて、
前記コンピュータを、
前記検査結果を入力する結果入力手段と、
前記記憶手段に記憶された前記複数の判断の実行順序に含まれる手順のうち、前記判断結果が入力されていない手順を前記記憶手段により記憶される情報に基づいて判定する判定手段と、
前記判定手段により判定された手順に関するものとして前記記憶手段に記憶される前記複数の判断のそれぞれにおける判断結果の選択肢のうちから前記結果入力手段で入力された前記検査結果を導出するために選択され得る選択肢を選出する選出手段と、
前記選出手段により選出された選択肢をユーザに提示する提示手段として機能させることを特徴とする検査支援プログラム。
【請求項４】
画像に現れた医学的異常に関する複数の判断を所定の実行順序で実行することで検査結果を導出する医学的検査を支援するための処理を、前記複数の判断の実行順序と前記複数の判断のそれぞれにおける判断結果の選択肢とを関連付けて記憶する記憶手段にアクセス可能なコンピュータに行わせる検査支援プログラムにおいて、
前記コンピュータを、
前記検査結果を入力する結果入力手段と、
前記記憶手段に記憶された前記複数の判断の実行順序に含まれる手順のうち、前記判断結果が入力されていない手順を前記記憶手段により記憶される情報に基づいて判定する判定手段と、
前記判定手段により判定された手順に関するものとして前記記憶手段に記憶される前記複数の判断のそれぞれにおける判断結果の選択肢のうちから前記結果入力手段で入力された前記検査結果を導出するために選択され得る選択肢を選出する選出手段と、
前記選出手段により選出された選択肢および入力された前記検査結果をそれぞれ含んだレポートを作成する手段として機能させることを特徴とする検査支援プログラム。
【発明の詳細な説明】
【技術分野】
【０００１】
本発明の実施形態は、検査装置で取得された画像に基づいて行われる医学的検査を支援する検査支援装置および検査支援プログラムに関する。
【背景技術】
【０００２】
読影、検査あるいは患者説明を支援するＧＵＩ（Graphical User Interface）ベースのビューワが知られている。ビューワでは、検査装置で収集されて画像サーバに保管された画像データを必要に応じて取得し、表示することができる。医師などの検査者は、ビューワにより表示された画像を読影する。この読影に当たって検査者は、ビューワを使い、画像処理を行ったり、画像の並び方や画像として表示する情報などについて変更を加えたりしながら、必要な情報を得る。
【先行技術文献】
【特許文献】
【０００３】
【特許文献１】特願２００４−２６７２７３
【発明の概要】
【発明が解決しようとする課題】
【０００４】
検査者は、検査結果のレポートを作成したり記録する必要がある場合には、上記のビューワとは別のレポートビューワ、もしくは、同一ビューワ上の別のソフトウエアなどを利用してレポートを作成する。なお、レポートビューワを備えていない施設も多く、そのような施設において検査者は、検査結果を記録用紙に筆記用具で記入しなければならない。
【０００５】
ＧＵＩベースのビューワでは、画像の表示形態などを変更することができるが、読影は検査者が人為的に行うしかなかった。
【０００６】
また、レポートを作成しながら検査を行う場合、検査者はＧＵＩベースのビューワで影読したのち、この読影を中断し、キーボードやマウスなどを使ったいくつかの操作によりレポート端末を利用してレポートを作成するか、記録紙に記入しなければならない。それゆえ、検査者が必要とする時間は、実際の画像を読影する時間に、読影の結果を決定あるいは残す操作の時間が追加される。単位時間あたりに大量の画像を読影しなければならないシステム等では相対的にこの時間が長くなってしまう。
【０００７】
これらの事情から、画像に基づく医学的検査は、検査者にとって大きな負担になるという不具合があった。
【０００８】
このような事情から、検査者の負担を軽減するべく画像に基づく医学的検査を支援することができる検査支援装置および検査支援プログラムが求められていた。
【課題を解決するための手段】
【０００９】
検査支援装置は、画像に現れた医学的異常に関する複数の判断を所定の実行順序で実行することで検査結果を導出する医学的検査を支援するものである。検査支援装置は、記憶手段、結果入力手段、判定手段、選出手段および提示手段を備える。記憶手段は、前記複数の判断の実行順序と前記複数の判断のそれぞれにおける判断結果の選択肢とを関連付けて記憶する。結果入力手段は、前記検査結果を入力する。判定手段は、前記記憶手段に記憶された前記複数の判断の実行順序に含まれる手順のうち、前記判断結果が入力されていない手順を前記記憶手段により記憶される情報に基づいて判定する。選出手段は、前記判定手段により判定された手順に関するものとして前記記憶手段に記憶される前記複数の判断のそれぞれにおける判断結果の選択肢のうちから前記結果入力手段で入力された前記検査結果を導出するために選択され得る選択肢を選出する。提示手段は、前記選出手段により選出された選択肢をユーザに提示する。
【発明の効果】
【００１０】
本発明によれば、検査者の負担を軽減するべく画像に基づく医学的検査を支援することが可能となる。
【図面の簡単な説明】
【００１１】
【図１】本発明の一実施形態に係る検査支援装置の構成を示す図。
【図２】図１中の設定情報記憶部に記憶される設定情報データベースの一例を示す図。
【図３】図１中の情報処理部の処理手順を示すフローチャート。
【図４】マンモグラム読影における腫瘤に関する検査の流れを示す図。
【図５】図１中の情報処理部により作成される確認画面の一例を示す図。
【図６】図１中の情報処理部により作成されるストラクチャーレポート情報の一例を示す図。
【図７】図１中のレポート作成部により作成されるレポートの一例を示す図。
【発明を実施するための形態】
【００１２】
以下、図面を参照して本発明の一実施形態につき説明する。  
図１は本実施形態に係る検査支援装置１の構成を示す図である。  
検査支援装置１は図１に示すようにＬＡＮ（Local Area Network）２に接続される。このＬＡＮ２には、ＣＴ（Computed Tomography）３、ＭＧ（Mammography）４、ＭＲ（Magnetic Resonance）５、ＣＲ（Computed Radiography）６およびＤＲ（Digital Radiography）７などの検査装置が適宜に接続される。なお図示はしないが、検査装置としては、内視鏡、超音波検査装置、平面検出器、血管撮影装置、心電計、眼底撮影装置、細胞診や病理組織診のためのデジタル顕微鏡、あるいはその他の周知の装置を適宜に用いることができる。またＬＡＮ２には、サーバ８が接続される。サーバ８は、検査装置で収集された画像データを保存する。サーバ８は、検査支援装置１からの要求に応答して、保存している画像データを検査支援装置１へ送る。サーバ８は、画像データに限らず、検査関連情報、オーダ情報、レポート情報なども保存することがある。
【００１３】
図１に示すように検査支援装置１は、ユーザインタフェース部１１、設定情報記憶部１２、情報収集部１３、情報処理部１４、情報ファイル記憶部１５、ＣＡＤ（Computer Aided Diagnosis）処理部１６、画像データ記憶部１７、レポート作成部１８および通信部１９を含む。
【００１４】
なお、この検査支援装置１は、例えば汎用のサーバ装置やコンピュータ装置を基本ハードウェアとして用いることができる。そして情報収集部１３、情報処理部１４、ＣＡＤ処理部１６、レポート作成部１８は、上記のサーバ装置やコンピュータ装置に搭載されたプロセッサにプログラムを実行させることにより実現することができる。このときに検査支援装置１は、上記のプログラムがサーバ装置やコンピュータ装置に予めインストールされて実現されても良いし、ＣＤ-ＲＯＭなどのようなリムーバブルな記録媒体に記録して、あるいはネットワークを介して上記のプログラムを配布し、このプログラムをサーバ装置やコンピュータ装置に適宜インストールして実現されても良い。設定情報記憶部１２、情報ファイル記憶部１５および画像データ記憶部１７は、上記のサーバ装置やコンピュータ装置に内蔵されたメモリやハードディスク装置などの記憶デバイス、上記のサーバ装置やコンピュータ装置に外付けされたメモリやハードディスク装置などの記憶デバイス、さらには光ディスクなどのようなリムーバブルな記録媒体などを適宜利用して実現することができる。
【００１５】
ユーザインタフェース部１１は、マウス、キーボード、ジョイスティックあるいはペンなどの入力デバイスを含むか、同様な別体の入力デバイスを接続可能である。入力デバイスとしては、ユーザの視線、手の形状、あるいは音声などによりなされる指示を入力するデバイスを適用することもできる。ユーザインタフェース部１１は、入力デバイスから出力される信号に基づいて、ユーザの指示を入力する。ユーザインタフェース部１１は、液晶表示器などの表示デバイスを含むか、同様な別体の表示デバイスを接続可能である。ユーザインタフェース部１１は、この表示デバイスにユーザに提示すべく各種の画像を表示させる。ユーザインタフェース部１１は、例えばＧＵＩをユーザに提供する。
【００１６】
設定情報記憶部１２は、例えば図２に示すような設定情報データベースを記憶する。設定情報データベースは、ユーザ指示に応じて情報処理部１４の処理により追加、修正、削除ができる。
【００１７】
情報収集部１３は、設定情報記憶部１２に記憶された情報に基づき、読影の手順で何番目のときはどの条件およびどのツールを表示するかを判別し、それらの条件およびツールに関する情報を収集する。
【００１８】
情報処理部１４は、情報収集部１３で収集された情報をユーザに提示する。情報処理部１４は、読影の手順の途中での判断結果や読影により導出される検査結果を入力する。情報処理部１４は、判断結果の入力履歴を表す情報を作成し、この情報を情報ファイル記憶部１５に書き込む。情報処理部１４はさらに、入力された検査結果を導出するために必要でありながら入力されていない判断結果をユーザに提示する。情報処理部１４は、上記の未入力の判断結果を、自動であるいはユーザによる追加指示に応じて履歴情報に追加する。入力された検査結果を導出するために必要でありながら入力されていない判断結果が同一の判断について複数有る場合に、これらの判断結果を選択肢としてユーザに提示する。情報処理部１４は、上記の選択肢のうちの１つの指定を入力し、この指定された判断結果を履歴情報に追加する。また情報処理部１４は、ツールの使用履歴を表す情報を作成し、この情報を情報ファイル記憶部１５に書き込む。そして情報処理部１４は、使用履歴に基づいてツールを使用するべき判断が行われたタイミングでそのツールが使用されたか否かを確認し、使用されていない場合にその旨をユーザに対して提示する。
【００１９】
情報ファイル記憶部１５は、ビューワ関連情報、検査関連情報、オーダ情報、レポート情報、あるいは上記の入力履歴または使用履歴の情報などを保管する。
【００２０】
ＣＡＤ処理部１６は、ユーザの指示に応じて画像データを経時差分画像（ただし、同一検査で同じ条件のデータで現在および過去の画像が必要）や結節解析されたものに加工する。さらにＣＡＤ処理部１６は、問題となる場所を判定でき、その候補がいくつかあがった時には、それらのいずれかを選択するために画像の分割を行う。もちろん、ユーザの指示により、このような処理を行わず画像データをそのまま情報処理部１４へ伝える場合もある。
【００２１】
画像データ記憶部１７は、サーバ８から取得した画像データを記憶する。
【００２２】
レポート作成部１８は、この検査支援装置１を利用して行われた検査についてのレポート情報を作成する。
【００２３】
通信部１９は、ＬＡＮ２を介する通信を行う。
【００２４】
次に以上のように構成された検査支援装置１の動作について説明する。  
例えばマンモグラム読影では、「腫瘤か石灰化かその他かの区別」「乳腺の重なりか真の腫瘤か」の判断といった判断を所定の検査手順で行うことにより検査が行われる。このような検査が行われる場合に情報処理部１４は、図３に示すような処理を実行する。
【００２５】
ステップＳａ１において情報処理部１４は、処理対象手順を１つ進める。ステップＳａ１を最初に実行するときには、情報処理部１４は処理対象手順を実施中の検査に関する先頭手順とする。ステップＳａ２において情報処理部１４は、処理対象手順に関する情報の収集を情報収集部１３に要求する。この要求に応じて情報収集部１３は、該当する手順に関する情報を設定情報記憶部１２から収集し、情報処理部１４へ送る。そこでステップＳａ３において情報処理部１４は、情報収集部１３から送られる情報を取得して、ユーザインタフェース部１１を介して上記の情報を表示する。なお、ここでの表示には、各手順でユーザがなすべき判断の内容や、その判断のために使用するツールなどを表す。
【００２６】
次にステップＳａ４乃至ステップＳａ６において情報処理部１４は、ツールが使用されるか、判断結果が入力されるか、あるいは検査結果が入力されるのを待ち受ける。
【００２７】
ツールが使用された場合、情報処理部１４はステップＳａ４からステップＳａ７へ進む。ステップＳａ７において情報処理部１４は、使用履歴を更新する。使用履歴は、どの検査の、どの手順で、どのツールが使用されたかを表す。こののちに情報処理部１４は、ステップＳａ１以降の処理を繰り返す。
【００２８】
現処理対象手順に関する判断結果が入力された場合、情報処理部１４はステップＳａ５からステップＳａ８へ進む。ステップＳａ８において情報処理部１４は、入力履歴を更新する。入力履歴は、どの検査の、どの手順で、どのような判断結果が入力されたかを表す。続いてステップＳａ９において情報処理部１４は、現処理対象手順の判断結果が入力されたことによって当該検査の結果が導出されるか否かを確認する。そしてまだ検査結果が導出されないのであれば、情報処理部１４はステップＳａ１以降の処理を繰り返す。
【００２９】
現処理対象手順に関する判断結果ではなく、検査結果が入力された場合、情報処理部１４はステップＳａ６からステップＳａ１０へ進む。ステップＳａ１０において情報処理部１４は、入力された検査結果を導出するために必要でありながら判断結果が入力されていない判断が有るか否かを確認する。この確認は、例えば入力履歴に基づいて行うことができる。そのような判断があることを確認した場合に情報処理部１４は、ステップＳａ１０からステップＳａ１１へ進む。ステップＳａ１１において情報処理部１４は、判断結果が未入力である手順に関する情報の収集を情報収集部１３に要求する。ステップＳａ１２において情報処理部１４は、情報収集部１３から送られる情報を取得する。そしてステップＳａ１３において情報処理部１４は、ステップＳａ１２にて取得した情報に基づいて確認画面を作成し、ユーザインタフェース部１１を介して表示する。
【００３０】
例えば、マンモグラム読影における腫瘤に関する検査の場合、図４に示すような各種の判断によって、カテゴリー１乃至６の検査結果が導出される。
【００３１】
「乳腺の重なりか、真の腫瘤か？」の判断についての判断結果として「真の腫瘤と考えた場合」が入力されているのみで、検査結果として「カテゴリー２」が入力された場合、「脂肪を含むか」の判断についての判断結果が未入力である。そして検査結果として「カテゴリー２」が導出されるためには、「脂肪を含むか」の判断についての判断結果は「脂肪を含有する腫瘤」となるはずである。そこでこの場合に情報処理部１４は、「この病変は、脂肪を含有する腫瘤、である。」と表す確認画面を作成する。なお、例えば「脂肪を含有する腫瘤」なる文字列に下線を付しておき、この「脂肪を含有する腫瘤」がクリックされた場合に情報処理部１４は、「脂肪を含むか」の判断についての判断結果として「脂肪を含有する腫瘤」が入力されたとする。ただし、このように判断結果の候補が１つのみである場合、ユーザの操作を受けずに当該判断結果が入力されたとしても良い。
【００３２】
一方、いずれの判断についての判断結果も入力されることなく、いきなり検査結果として「カテゴリー３」が入力された場合、これは図４に符号４１，４２，４３を付して示す検査結果のいずれでもあり得る。そこで情報処理部１４は、例えば図５に表すような確認画面を作成する。図５においては、下線を付した文字列により選択肢を表している。すなわち、「候補１」「１．境界明瞭平滑」「２．境界微細分葉微細鋸歯状境界不明瞭」なる各文字列が選択肢である。「候補１」がクリックされた場合に情報処理部１４は、「乳腺の重なりか、真の腫瘤か？」の判断についての判断結果として「重なりか真の腫瘤か判断に迷うもの」が入力されたとする。「１．境界明瞭平滑」がクリックされた場合に情報処理部１４は、「乳腺の重なりか、真の腫瘤か？」の判断についての判断結果として「真の腫瘤と考えた場合」が入力されたとし、さらに「辺縁診断」の判断結果として「境界明瞭平滑」が入力されたとする。「２．境界微細分葉微細鋸歯状境界不明瞭」がクリックされた場合に情報処理部１４は、「乳腺の重なりか、真の腫瘤か？」の判断についての判断結果として「真の腫瘤と考えた場合」が入力されたとし、さらに「辺縁診断」についての判断結果として「境界微細分葉微細鋸歯状境界不明瞭」が入力されたとする。
【００３３】
ステップＳａ１４において情報処理部１４は、上述のように判断結果が入力されるのを待ち受ける。そして判断結果が入力されたならば、情報処理部１４はステップＳａ１４からステップＳａ１５へ進む。ステップＳａ１５において情報処理部１４は、この判断結果の入力を反映するように入力履歴を更新する。
【００３４】
情報処理部１４は、ステップＳａ１５からはステップＳａ１６へ進む。またステップＳａ９にて検査結果が導出されたと判断した場合に情報処理部１４は、ステップＳａ９からステップＳａ１６へ進む。さらには、ステップＳａ１０にて判断結果が入力されていない判断が無いと判断した場合に情報処理部１４は、ステップＳａ１０からステップＳａ１６へ進む。ステップＳａ１６において情報処理部１４は、入力履歴に基づいて、例えば図６に示すようなストラクチャーレポート情報を作成し、このストラクチャーレポート情報を情報ファイル記憶部１５に格納する。なお、情報処理部１４は、ツールを使用するべき手順の全てでツールが正しく使用されているか否かを使用履歴に基づいて確認する。そして、ツールが正しく使用されていない手順が有った場合に情報処理部１４は、その旨を警告する文字列を、その手順についての判断結果に付加する。図６では、「脂肪を含むか」の判断の際に脂肪量を計測する計測ツールが使用されなかったために、「＊計測ツールを使用していません！」という文字列を付加した例を示している。
【００３５】
さてレポート作成部１８は、ユーザからの要求に応じてレポート情報を作成する。レポート作成部１８は、上述のストラクチャーレポート情報に含まれた情報と、検査のために使用された画像とを所定のレイアウトで配置することにより、例えば図７に示すようなレポートを示すレポート情報を作成する。
【００３６】
以上のように本実施形態によれば、手順を飛ばして検査結果が入力された場合には、飛ばされた手順において入力されるべき判断結果を表示する。これにより、入力された検査結果が正しい判断の下に導出されたものであるか否かをユーザに確認させることができる。
【００３７】
また本実施形態によれば、飛ばされた手順において入力されるべき判断結果を、入力されたものとして入力履歴に追加している。これにより、入力履歴に基づくことにより、手順に従った判断の経過を正しく表したレポートを作成することが可能である。
【００３８】
また本実施形態によれば、飛ばされた手順において入力されるべき判断結果が１つのみである場合にも、ユーザからの指示に応じてそれを入力履歴に追加する。これにより、入力された検査結果が正しい判断の下に導出されたものであるか否かを確実に確認するようにユーザに促すことができる。
【００３９】
また本実施形態によれば、上記のように飛ばされた手順において入力されるべき判断結果が同一の判断について複数有る場合には、これらの判断結果を選択肢として表示し、いずれかをユーザに選択させる。これにより、不明である判断結果を入力することができる。
【００４０】
また本実施形態によれば、ツールの使用状況を監視し、ツールを使用するべきタイミングで正しくツールが使用されなかった場合には、その旨をレポートに表す。従って、レポートを読む人に、正しい判断が行われていない可能性があることを認識させることができる。
【００４１】
この実施形態は、次のような種々の変形実施が可能である。  
飛ばされた手順において入力されるべき判断結果が１つのみである場合には、ユーザの確認を経ずに、その判断結果を入力履歴に追加しても良い。  
飛ばされた手順において入力されるべき判断結果と、入力履歴と、入力された検査結果とに基づいて、レポートを作成しても良い。飛ばされた手順において入力されるべき判断結果が同一の判断について複数有る場合には、それぞれの判断結果を採用した複数のレポートを作成すれば良い。  
ツールが正しく使用されていない旨の提示は、ユーザインタフェース部１１を介した表示などにより、レポートでの表示とは別に行うようにしても良い。
【００４２】
この実施形態は、次のような種々の変形実施が可能である。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１…検査支援装置、１１…ユーザインタフェース部、１２…設定情報記憶部、１３…情報収集部、１４…情報処理部、１５…情報ファイル記憶部、１６…ＣＡＤ処理部、１７…画像データ記憶部、１８…レポート作成部、１９…通信部。
【図１】
2011018385.tif 000003
【図２】
2011018385.tif 000004
【図３】
2011018385.tif 000005
【図４】
2011018385.tif 000006
【図５】
2011018385.tif 000007
【図６】
2011018385.tif 000008
【図７】
2011018385.tif 000009